(57)【要約】【課題】本発明は、石受けファスナーに関し、従来の石受けファスナーにおいては目地部分からの雨水の排水機構が装備されず、笠木下部での手間の掛かる防水処理が必要であることが課題であって、それを解決することである。【解決手段】石笠木の目地部分と躯体の表面との間で前記目地部分の棟側から軒先側に亘って設けられるものであって、前記躯体の表面の適宜個所に固定され立設される受けブラケットと、該受けブラケットに底部が取り付け固定されるものであって前記底部から上に断面凹状の雨樋が形成されその上部に前記石笠木が載置される受けフランジ部を有し前記目地部分の棟側から軒先側に亘って設けられる受け金物と、該受け金物の上部の適宜個所に基部が固定され該基部から上に延設される一部分が前記目地部分に入り込み当該一部分から前記石笠木の側端面に設けられる係止部に係止される係止部材が設けられてなる位置決め部材とからなる石受けファスナー１とする。【選択図】図１
2011137322.tif 000002
【特許請求の範囲】
【請求項１】
石笠木の目地部分と躯体の表面との間で前記目地部分の棟側から軒先側に亘って設けられるものであって、
前記躯体の表面の適宜個所に固定され立設される受けブラケットと、
該受けブラケットに底部が取り付け固定されるものであって前記底部から上に断面凹状の雨樋が形成されその上部に前記石笠木が載置される受けフランジ部を有し前記目地部分の棟側から軒先側に亘って設けられる受け金物と、
該受け金物の上部の適宜個所に基部が固定され該基部から上に延設される一部分が前記目地部分に入り込み当該一部分から前記石笠木の側端面に設けられる係止部に係止される係止部材が設けられてなる位置決め部材とからなること、
を特徴とする石受けファスナー。
【請求項２】
受けブラケットは、上下方向に２分割され、その２分割された分割受けブラケットには固定ボルト挿通用の孔がそれぞれ設けられ、且つ、その両孔は上下方向と水平方向とに長い長孔となっていること、
を特徴とする請求項１に記載の石受けファスナー。
【請求項３】
位置決め部材の係止部材は、石笠木の側端面に穿設された孔に遊嵌されるダボピンであること、
を特徴とする請求項１または２のいずれかに記載の石受けファスナー。
【発明の詳細な説明】
【技術分野】
【０００１】
本発明は、石笠木を建物の外部における雨掛部位に使用する場合の、石受けファスナーの構造に関するものである。
【背景技術】
【０００２】
従来、石笠木を建物の外部仕上げに使用した場合には、特に排水機構が確立していないので、ジョイント部の目地部分に、防水シート若しくは塗膜防水などの排水処理を行う必要がある。また、屋根パネルの防水として、先行技術文献に記載されているように、仕上げラインの上において止水処理を施し、例えば、防水シート同士の辺端を棟側から軒先側に亘って防水ファスナーにより連結して施工するものが知られている。
【先行技術文献】
【特許文献】
【０００３】
【特許文献１】特開平５−２５８８９号公報
【発明の概要】
【発明が解決しようとする課題】
【０００４】
しかし、図６（Ａ），（Ｂ）に示すように、石笠木２を使用する場合には、目地部分２ａにシール材１０を充填しているだけなので、このシール材１０にひびが入ると雨水２４が浸入する。受けファスナー２１は、受けブラケット２３とダボピン２５等で石笠木２を支持しているだけなので、止水ラインを躯体３の表面に防水塗膜２２を設ける等、仕上げの下に設ける必要がある。石笠木を使用する場合には、金属笠木の場合と同様に仕上げ上部において止水構造を施工することができないと言う課題がある。本発明に係る石受けファスナーは、このような課題を解決するために提案されたものである。
【課題を解決するための手段】
【０００５】
本発明に係る石受けファスナーの上記課題を解決して目的を達成するための要旨は、石笠木の目地部分と躯体の表面との間で前記目地部分の棟側から軒先側に亘って設けられるものであって、前記躯体の表面の適宜個所に固定され立設される受けブラケットと、該受けブラケットに底部が取り付け固定されるものであって前記底部から上に断面凹状の雨樋が形成されその上部に前記石笠木が載置される受けフランジ部を有し前記目地部分の棟側から軒先側に亘って設けられる受け金物と、該受け金物の上部の適宜個所に基部が固定され該基部から上に延設される一部分が前記目地部分に入り込み当該一部分から前記石笠木の側端面に設けられる係止部に係止される係止部材が設けられてなる位置決め部材とからなることである。
また、前記受けブラケットは、上下方向に２分割され、その２分割された分割受けブラケットには固定ボルト挿通用の孔がそれぞれ設けられ、且つ、その両孔は上下方向と水平方向とに長い長孔となっていることであり、
更に、前記位置決め部材の係止部材は、石笠木の側端面に穿設された孔に遊嵌されるダボピンであること、を含むものである。
【発明の効果】
【０００６】
本発明の石受けファスナーによれば、雨樋があるので石笠木の目地が切れても漏水しない。また、笠木下の防水処理が不要となり工期短縮とコスト低減となる。施工の点においても通常の石受けファスナーと変わらないので、施工が容易であり手間が掛からない、等種々の優れた効果を奏するものである。
【図面の簡単な説明】
【０００７】
【図１】本発明に係る石受けファスナーの使用状態における側面視した縦断面図である。
【図２】同本発明の石受けファスナー１の使用状態における側面視した一部拡大縦断面図である。
【図３】同本発明の石受けファスナー１の正面視の縦断面図（Ａ）と２分割した分割受けブラケットの斜視図（Ｂ）である。
【図４】同本発明の石受けファスナー１における雨樋を平面視した一部拡大平面図である。
【図５】上下方向の位置調整用の石受けファスナーの使用状態の正面図である。
【図６】従来例に係る石受けファスナーの使用状態の側断面図（Ａ）と正面図（Ｂ）とである。
【発明を実施するための形態】
【０００８】
本発明に係る石受けファスナー１は、図１に示すように、石笠木における目地部分の棟側から軒先側に亘って石笠木用のファスナーに雨樋を設けるようにするものである。
【実施例１】
【０００９】
前記受けファスナー１は、図１乃至図２に示すように、石笠木（例えば、御影石）２の目地部分２ａと躯体（コンクリート）３の表面との間で前記目地部分２ａの棟側から軒先側に亘って設けられるものであって、前記躯体３の表面の適宜個所に、図示の実施例では３個所にアンカー４で固定され立設される金属製（ステンレス製）の受けブラケット５がある。
【００１０】
該受けブラケット５に底部６ａが取り付け固定されるものであって前記底部６ａから上に断面凹状の雨樋６ｂが形成されその上部に前記石笠木２が載置される受けフランジ部６ｃを有し前記目地部分２ａの棟側から軒先側に亘って設けられる金属製（ステンレス製）の受け金物６がある。
【００１１】
前記受け金物６の上部の適宜個所に基部７ａが固定され該基部７ａから上に延設される一部分の立て板７ｂが前記目地部分２ａに入り込み、当該一部分の立て板７ｂから前記石笠木２の側端面に設けられる係止部２ｂに係止される係止部材７ｃが設けられてなる金属製（ステンレス製）の位置決め部材７がある。前記基部７ａは、図２および図４に示すように、平板体で前記雨樋６ｂの幅に合わせて所要長さにして水平に取り付けられる板であるが、これに限らず、断面凹状の側壁に直接に板を固着させても良い。
【００１２】
前記受けブラケット５は、図２乃至図３に示すように、上下方向に２分割され、その２分割された分割受けブラケット５ａ，５ｂには固定ボルト８挿通用の貫通孔がそれぞれ設けられ、且つ、その両貫通孔は上下方向と水平方向とに長い長孔５ｃ，５ｄとなっている。位置決めのためである。
【００１３】
前記位置決め部材７の係止部材７ｃは、石笠木２の目地部分２ａにおける側端面に穿設された孔２ｂに遊嵌される金属製（ステンレス製）ダボピンである。
【００１４】
前記受け金物６の受けフランジ部６ｃには、図１に示すように、石笠木２を載置する際に衝撃を緩和する弾性材（ブチルゴム）９が貼着されている。
また、図１と図５とに示すように、軒先側に高さ方向の位置決め用の位置決ブラケット１１が設けられている。２分割の位置決ブラケット１１ａ，１１ｂと、固定ボルト８および位置調整ボルト１２とで構成されている。
【００１５】
以上のように、本発明に係る石受ファスナー１は、受けブラケット５，受け金物６，位置決め部材７を主な構成物としてなり、施工に当たっては、以下のようにする。
【００１６】
まず、工場で、分割受けブラケット５ｂと受け金物６と位置決め部材７とを一体に形成する。この受け金物６の長さは約１０００ｍｍ程度であるので、前記分割受けブラケット５ｂは、３５０ｍｍ程度の間隔を開けて３個所に溶接手段等で固着する。また、石笠木２の目地部分の側端面に、ダボピン用の孔２ｂを３個所に穿孔しておく。
【００１７】
次に、図１に示すように、躯体３の表面に防水処理用の塗膜３ａを簡易に施工する。なお、場合によっては、この塗膜ａを施工しないこともある。そして、受けブラケット５のうちの分割受けブラケット５ａをアンカー４で３個所の所定の位置に固定する。
【００１８】
前記分割受けブラケット５ａに、前記受け金物６と一体化させた分割受けブラケット５ｂを固定ボルト８およびナット８ａで取り付けて固定する。受け金物６は、軒先側に向かって下方向に傾斜させるので、分割ブラケット５ａ，５ｂの取付に際しては、左右方向の長孔５ｃと、上下方向の長孔５ｄとにより、棟側と軒先側および中間位置とにおいて高さの調整をする。
【００１９】
前記受け金物６の上に、石笠木２を乗せる。３個所のダボピン７ｃとそれ用の孔２ｂとを位置合わせして、前記石笠木２を横方向から滑らせるようにして、嵌合させる。軒先側で、位置決ブラケット１１によって、位置調整ボルト１２で石笠木２の高さ方向の調節をする。
【００２０】
前記石笠木２の下面と受け金物６の受けフランジ部６ｃの間には、弾性体９が介在しているので、前記位置調整ボルト１２で、下から上に持ち上げる方向で調整するものである。このようにして石笠木２を順次横方向に受け金物６の上に敷設する。石笠木２、２同士の目地部分２ａには、シール材１０が充填されシールされる。
【００２１】
このように構成したことで、石笠木２の目地部分２ａから雨が浸入しても、図１に示すように、受け金物６の雨樋６ｂにより軒先側へと雨水が導出され、更に水切り板１３に落下して、この水切り板１３の端部に穿設された水抜き孔１３ａから外部へと落下するものである。
【産業上の利用可能性】
【００２２】
本発明に係る石受けファスナー１は、目地部分の雨水の浸入に対して広く適用することができる。
【符号の説明】
【００２３】
１          石受けファスナー、
２          石笠木、
３          躯体、
４          アンカー、
５          受けブラケット、
５ａ，５ｂ  分割受けブラケット、  
６          受け金物、                        ６ａ      底部、
６ｂ        雨樋、                            ６ｃ      受けフランジ部  
７          位置決め部材、                        ７ａ          基部
７ｂ        立て板、                      ７ｃ    ダボピン、
８          固定ボルト、                        ８ａ          ナット、
９          弾性体、
１０        シール材、    
１１        位置決ブラケット、      
１２        位置調整ボルト、
１３        水切り板、                      １３ａ      水抜き孔。
【図１】
2011137322.tif 000003
【図２】
2011137322.tif 000004
【図３】
2011137322.tif 000005
【図４】
2011137322.tif 000006
【図５】
2011137322.tif 000007
【図６】
2011137322.tif 000008